【手続補正書】
【提出日】平成16年1月13日(2004.1.13)
【手続補正１】
【補正対象書類名】明細書
【補正対象項目名】特許請求の範囲
【補正方法】変更
【補正の内容】
【特許請求の範囲】
【請求項１】
入口（３３）と、出口（３４）と、前記入口（３３）と前記出口（３４）との間の流路（３２、３２’）とを有する弁室（２３、２３’）と、
円環状の弁座（２８）と、
球欠形の弁体（２６）であって、該弁体が一部を構成する球体の中心（７６）と交差する回転軸（４９、４９’）の周りを回転可能な弁体（２６）と、
前記弁室内の前記弁体を前記回転軸の周りに回転させる回転手段とを有し、
前記弁体の球面部（２７）と前記弁座との間の滑動が、前記弁体の前記球面部（２７）が前記弁座の全周に沿って前記弁座と密封接触する完全な閉位置と、前記弁体が少なくとも本質的に前記弁座との接触を失う少なくとも本質的に完全な開位置との間で、弁が部分的に開き、各位置では前記弁体の前記球面部が前記弁座の一つの連続した外周部に沿って前記弁座と接し、前記弁座が前記球面部と接している中間の調整位置を通って行われ、
前記回転手段は、前記回転軸（４９、４９’）と同軸で、前記弁室の１つの面を貫通して延び、かつ該１つの面に取り付けられている回転心棒（４１）と、前記回転軸（４９、４９’）と同じく同軸で、かつ前記弁室の対向する面に取り付けられているジャーナルバー（４３）とを有するボールセグメント弁において、
前記回転心棒と前記ジャーナルバーは、弓形部（４２）によって、該弓形部とともに連続した回転ユニット（２５）を形成するように連結され、
前記回転ユニットの前記ジャーナルバーは、前記弁室の前記対向する面の一部を構成し、該対向する面にある穴（６４）を覆うふた（２４）に取り付けられ、該穴の大きさは、前記回転ユニットが該穴を通って前記弁室内の所定の動作位置まで挿入され、前記ジャーナルバーが前記ふたの中を延びながら前記ふたを前記穴の上で引き続き組み立てることによって、前記回転ユニットが前記動作位置に固定されることのできる大きさであり、
前記弓形部は、前記回転心棒と前記ジャーナルバーとにそれぞれ連結されている１組の脚（４６、４７）と、該両脚（４６、４７）を前記回転軸（４９、４９’）から所定の距離だけ離して連結する枠（４５）とを有し、
前記弁体は、前記枠の前記回転軸（４９、４９’）と反対側の面で前記枠に取り付けられていることを特徴とするボールセグメント弁。
【請求項２】
前記弁室の前記対向する面にある前記穴（６４）は、前記弁体が前記枠に取り付けられている前記回転ユニットが、前記穴を通って前記弁室内の前記動作位置まで挿入されることができるほど十分に大きくないが、前記弁体は前記入口および前記出口の少なくとも一つを通って前記弁室内に挿入されることができ、かつ該弁体は前記弁室内で前記枠に取り付けられている、請求項１に記載のボールセグメント弁。
【請求項３】
前記弁体と前記枠は、前記弁体を前記枠の中央に位置決めする、相互に作用し合う心出し部材（５０、７３）を備えている、請求項２に記載のボールセグメント弁。
【請求項４】
前記相互に作用し合う心出し部材は、該心出し部材の軸方向中心線に直角な面に円形断面を持ち、少なくとも一部分が円筒形であるピン（７３）を有し、該ピンは前記弁体の背面の中心、すなわち弁体の球形面とは反対側の面の中心から突出ており、前記枠は該ピンと嵌合する形状の穴（５０）を有している、請求項３に記載のボールセグメント弁。
【請求項５】
前記相互に作用し合う心出し部材は、少なくとも一部分が円筒形の中央穴を前記弁体の背面に有し、前記枠は前記穴と嵌合する形状の中央ピンを有している、請求項３に記載のボールセグメント弁。
【請求項６】
前記弁体の前記背面（７１）は少なくとも部分的に平らであり、前記弁体に面している前記枠の面（４８）もまた少なくとも部分的に平らであり、前記弁体と前記枠の前記した平らな面同志が押し付けられ合う、請求項１から５までのいずれか１項に記載のボールセグメント弁。
【請求項７】
前記弁体と前記回転ユニットは、前記枠（４５）の複数の穴（５１）を貫通する複数の締結部材（５２）によって互いに連結されている、請求項１から６までのいずれか１項に記載のボールセグメント弁。
【請求項８】
球面部（２７）が弁室（２３）内の環状の弁座（２８）と接するようになっている球欠形の弁体と、前記弁体を、該球面部（２７）が一部を構成する球体の中心（７６）と交差する回転軸（４９、４９’）の周りに回転させる回転手段とからなるボールセグメント弁機構において、
前記回転手段は、回転心棒（４１）と、該回転心棒と同軸のジャーナルバー（４３）と、一体の回転ユニット（２５）を形成するために前記回転心棒を前記ジャーナルバーと連結する弓形部（４２）からなり、
ボールセグメント形の前記弁体は、該弁体の背面（７１）、すなわち前記球面部の反対側で前記弓形部に面している弁体の面に固定する複数の部材（５２）によって、前記弓形部上に固定される独立の部材からなり、または独立の部材の一部を構成することを特徴とするボールセグメント弁機構。
【請求項９】
前記弓形部は、前記回転心棒（４１）と前記ジャーナルバー（４３）とにそれぞれ連結されている１組の脚（４６、４７）と、前記回転軸（４９、４９’）から所定の距離だけ離れて前記両脚の間を延びている枠（４５）とからなる、請求項８に記載のボールセグメント弁機構。
【請求項１０】
前記弁体と前記枠は、前記弁体を前記枠の中央に位置決めする、相互に作用し合う心出し部材（５０、７３）を備えている、請求項９に記載のボールセグメント弁機構。
【手続補正２】
【補正対象書類名】明細書
【補正対象項目名】００１２
【補正方法】変更
【補正の内容】
【００１２】
弁室２３は、一方の管部分２１に接続されている入口３３と、他方の管部分２２に面している出口３４とを備えた一体鋳造物である。これらの開口の間に、流路３２が弁室を貫通して延びている。弁室２３の一方の側面には、回転ユニット２５の回転心棒４１のために通し孔４０を備えている、突出しているネック３５がある。ネック３５の先はショルダ３６になっており、この上に回転ユニット２５を回転させるための調整装置（図示されていない）が取り付けられている。従来の方法によって、パッキン３７と、グランド３８と、また植込みボルト３９と、そしてグランド３８をネック３５の中に締め付けるナットも備えられている。回転ユニット２５は単一の、つまり一体構成の鋳造材から作られる。このユニットは上記回転心棒４１と、弓形部４２と、そして回転心棒４１と同軸になっているジャーナルバー４３から成る。弓形部４２は枠４５と、この枠４５をそれぞれ回転心棒４１とジャーナルバー４３に連結する１対の脚４６、４７から成る。枠４５には、回転ユニット２５の回転軸でもある回転心棒４１とジャーナルバー４３とを通る中心線４９から、ある距離だけ離れてこの中心線に平行に配置されている面削りされた側面４８がある。一方では、枠４５を貫通して、円筒形の中央の通し孔５０と、他方では、この中央の穴５０の両側に、弁体２６の締付けねじ５２のための１対の通し孔５１が延びている。


【手続補正３】
【補正対象書類名】明細書
【補正対象項目名】００１６
【補正方法】変更
【補正の内容】
【００１６】
弁体２６は幾何学的に非常に単純で、回転対称な形状をしているので、自動運転の工作機械による機械加工によって非常に簡単に製作される。より具体的には、弁体は、本実施例では球状の面２７を画定する切断面に平行な平らな背面７１とそして球状の密封面２７とを有する球欠７０から成る。球状の面２７と背面７１との間に、周縁７２がある。球状の面２７は高い表面仕上げ精度で磨かれている。この実施例では、周縁７２は円形でありそして全弁体７０は回転対称になっている。しかしながら、公知の原理によって弁の調整特性を改善するために、弁体がその球状の面２７に窪みや溝を持ったり、突出部やこれと同様なものを備えることになんら問題はない。


【手続補正４】
【補正対象書類名】明細書
【補正対象項目名】００２０
【補正方法】変更
【補正の内容】
【００２０】
一定のある寸法を有する回転ユニット２５は、その寸法範囲内において、球状の密封面２７の様々な半径を含む様々な弁体２６に使用することができ、これは製造時におけるある種の標準化と在庫が可能であることを意味する。ふた２４もまた、弁室の様々な実施例のためにそして／あるいはある一定の寸法範囲内において標準化された構成要素として使用することができる。これは図４に示されている模範的な実施例によって図示されているが、この図では、前の実施例と同じ設計のふた２４が、完成された設計、すなわちいわゆるフランジ付き実施例の弁室２３’の穴６４’を閉じるために用いられている。この場合、穴６４’とふた２４は、図１と２による実施例と比べて１８０°回転されており、回転ユニット２５は、弁体２６の組立て時に、図４に示されている位置に前方に向かって１８０°まで回転させるために、回転軸４９’を中心にして１８０°まで回転されて穴６４’を通って挿入される。この場合、流路３２’は締付け式の実施例よりかなり長くなっている。弁の様々な構成要素とそれらの組立てに関するその他の点については、前の実施例の説明を参照されたい。


【手続補正５】
【補正対象書類名】明細書
【補正対象項目名】００２１
【補正方法】変更
【補正の内容】
【００２１】
回転対称の弁体として一体構造で、位置決めピン７３を含む弁体を設計することができることと、そして枠４５に位置合わせ中央穴５０を作ることは、製造および使用の両観点より有利である。一方、その代わりに、弁体の背面にある中央の穴と弁体とを合わせるようなピンを、枠の側の面に設計することも、完全に可能である。